(57)【要約】    【課題】  Ｌ型にレイアウトされたシステムキッチンに備えられて、施工時の搬入性と構造の柔軟性とを両立させることができるコーナーキャビネットを提供する。    【解決手段】  間口寸法の小さい搬入口から搬入可能に、平面視でＬ型とされたコーナーキャビネット３を同型の上下のユニット１１，１２で構成し、搬入後、上部ユニット１１の下部に配設された８個のダボ孔と下部ユニット１２の上部に配設された同数のダボとの嵌合を介して位置決めした上で、両ユニット１１，１２を重ねる。このコーナーキャビネット３は３つの収納空間Ｓ１〜Ｓ３を有し、その場合、下部ユニット１２はワゴンＷ１〜Ｗ３を収納する収納空間Ｓ３を構成する。【選択図】    図２
2005176880.tif 000002
【特許請求の範囲】
【請求項１】
平面視でＬ型にレイアウトされるシステムキッチンのコーナー部を形成するコーナーキャビネットであって、いずれも平面視がＬ型で、上下に重ねられる複数のユニットで構成されていることを特徴とするコーナーキャビネット。
【請求項２】
最下方のユニットは、前面と底面とが開口したワゴン収納空間を構成していることを特徴とする請求項１に記載のコーナーキャビネット。
【発明の詳細な説明】
【技術分野】
【０００１】
本発明は、Ｌ型システムキッチンのコーナー部を形成するコーナーキャビネットに関し、システムキッチンの技術分野に属する。
【背景技術】
【０００２】
従来、複数個のキャビネットとこれらのキャビネットの上部に載置される天板とを有し、平面視でＬ型にレイアウトされたシステムキッチンがある。このようなシステムキッチンに備えられる平面視でＬ型のコーナーキャビネットをキッチンへ搬入する際、玄関やキッチンの搬入口の間口寸法より該コーナーキャビネットの奥行き寸法が大きいと、該コーナーキャビネットを立てて搬入することになる。その場合には高さ寸法が問題となり、この高さ寸法が大きいコーナーキャビネットでは、搬入が困難なことがある。
【０００３】
このような問題を解決するコーナーキャビネットとしては、例えば特許文献１に開示されているものがある。すなわち、この特許文献１に開示されたコーナーキャビネットは、上下に分割可能とした上で、これらを連結部材を介して結合一体化した構造とされている。これにより、間口寸法が小さくて搬入することができない場合に、連結を解除してコーナーキャビネットを分割して搬入すると共に搬入後に分割されたコーナーキャビネットを連結することによって、収納空間を確保しつつコーナーキャビネットを搬入することができるようになっている。
【０００４】
また、前述したコーナーキャビネットの搬入時の問題を解決するためのものではないが、例えば特許文献２には、キャビネットと該キャビネットの奥方の壁との間に配管空間を確保するために該キャビネットを上下に分割可能としたものが開示されている。
【０００５】
【特許文献１】特開平６−５４７２３号公報
【特許文献２】特開昭６３−２３０１０６号公報
【発明の開示】
【発明が解決しようとする課題】
【０００６】
ところで、特許文献１に記載の発明では、間口寸法の小さい搬入口からの搬入を可能とするため、単一のコーナーキャビネットを上下に分割し、これを結合一体化する構造としているから、施工後には当初の単一のコーナーキャビネットが構成されるだけであって、使用者の好みや使用目的等に合わせて構造を任意に選択したり、あるいは構造を充実させたりすることができるものではない。
【０００７】
そこで、本発明は、以上の現状に鑑み、Ｌ型にレイアウトされたシステムキッチンに備えられて、施工時の搬入性と構造の柔軟性とを両立させることができるコーナーキャビネットの提供を課題とする。
【課題を解決するための手段】
【０００８】
上記課題を解決するため、本発明は次のように構成したことを特徴とする。
【０００９】
まず、請求項１に記載の発明は、平面視でＬ型にレイアウトされるシステムキッチンのコーナー部を形成するコーナーキャビネットに関するもので、いずれも平面視がＬ型で、上下に重ねられる複数のユニットで構成されていることを特徴とする。
【００１０】
また、請求項２に記載の発明は、上記請求項１に記載のコーナーキャビネットにおいて、最下方のユニットは、前面と底面とが開口したワゴン収納空間を構成していることを特徴とする。
【発明の効果】
【００１１】
まず、請求項１に記載の発明によれば、コーナーキャビネットを上下に重ねられる複数のユニットで構成するから、施工時に持ち運び作業を容易にした上で、搬入口の間口寸法が小さい場合にも、搬入性を確保することができる。
【００１２】
そして、コーナーキャビネットを複数のユニットで構成し、かつ、これらのユニットを立てて搬入することができるから、奥行き寸法を搬入口の寸法に応じて大きく設計することが可能となり、もって広い収納空間を有するコーナーキャビネットが実現されるというメリットも生まれる。
【００１３】
しかも、このコーナーキャビネットは複数のユニットで構成されているから、使用者の好みや使用目的等に合わせて構造を任意に選択したり、あるいは構造を充実させたりすることができ、構造の柔軟性が実現される。
【００１４】
また、請求項２に記載の発明によれば、最下方のユニットはワゴンを収納可能とされているから、周辺が整頓されて快適なキッチンが実現される。
【発明を実施するための最良の形態】
【００１５】
以下、本発明の実施の形態に係るコーナーキャビネットを備えたシステムキッチンについて説明する。
【００１６】
図１に示すように、このシステムキッチン１は、シンク等が設けられたメインキャビネット２と、コーナー部を形成するコーナーキャビネット３と、これらの上部に載置される天板４とを備え、平面視でＬ型にレイアウトされている。そして、コーナーキャビネット３は、いずれも平面視がＬ型で、上下に重ねられるユニット１１，１２で構成されている。なお、以下の説明において、「前後」及び「左右」とあるのは、特に断らない限り、正面視でそれぞれ「手前側、奥方側」及び「左側、右側」を意味する。
【００１７】
図２及び図３に示すように、コーナーキャビネット３の矢印Ａ箇所より上方を構成する上部ユニット１１は、前板２１と背板２２と左右の側板２３，２４と底板２５とで上面が開口する有底の概ね箱状とされ、上部に天板４が載置されるようになっている。さらに、上部ユニット１１は、左前方側は右方に、右前方側は前方にそれぞれ開口している。そして、底板２５の下面周縁部に、図示しない合計８個のダボ孔が凹陥されて配設されている。
【００１８】
上部ユニット１１の上部には、左右の側板２３，２４間に梁部材２６が架け渡され、また、該梁部材２６と前板２１及び背板２２との間にそれぞれ別なる梁部材２７，２８が架け渡されている。これにより、上部ユニット１１の上部構造が堅固なものとなっている。
【００１９】
上部ユニット１１の前板２１の左寄り箇所と背板２２との間に前後方向に長い棚板２９が装着され、当該部分の空間Ｓ１が上下に区画されている。この場合、上部ユニット１１には、右側開口の後方の収納空間Ｓ２を含め、２つの収納空間Ｓ１，Ｓ２が形成されている。
【００２０】
上記左側開口に、前方縁部を支点に矢印ａ及び鎖線で示すように開閉自在な取っ手付きの扉３０が配設されている。一方、上記右側開口の後方の収納空間Ｓ２に、上下方向に３個の引き出し３１，３２，３３が配設されている。これらの引き出し３１〜３３は周知の構造のもので、収納空間Ｓ２の左右両側に設けられた図示しないガイドレールに、矢印ｂ及び鎖線で示すように前後方向にスライド自在に支持されている。また、図例では、最上部の引き出し３１はトレー付きタイプとされている。
【００２１】
そして、底板２５のＬ字状の屈曲箇所近傍に、床面に向かって延びる角柱状の支柱３４が取り付けられている。支柱３４の上部にはボルト３４ａが組み込まれており、該支柱３４は該ボルト３４ａを介して底板２５に組み付けられている。
【００２２】
図２及び図４に示すように、コーナーキャビネット３の矢印Ａ箇所より下方を構成し、床面に載置される下部ユニット１２は、前板４１と背板４２と左右の側板４３，４４とで上下に開口する概ね枠状とされている。さらに、左前方側は右方に、右前方側は前方にそれぞれ開口し、これらの開口によって符号Ｂで示すワゴンＷ１，Ｗ２，Ｗ３の出し入れ部が形成されている。なお、これらのワゴンＷ１〜Ｗ３はキャスタ付きの有底箱状のものであり、この場合、下部ユニット１２の収納空間Ｓ３には、図例の構成の３つのワゴンＷ１〜Ｗ３が収納可能とされている。
【００２３】
前板４１、背板４２、及び左右の側板４３，４４の上部端面に、合計８個のダボ４１ａ，４１ａ，４２ａ，４２ａ，４３ａ，４３ａ，４４ａ，４４ａが突設されている。図５に一部を抜粋して示すように、これらのダボ４１ａ〜４４ａは、該ダボ４１ａ〜４４ａに対応して配設された上部ユニット１１の底板２５のダボ孔２５ａ…２５ａに嵌入可能とされており、これらのダボ４１ａ〜４４ａとダボ孔２５ａ…２５ａとの嵌合を介して上下のユニット１１，１２が着脱可能に連結されている。
【００２４】
以上の構成により、このシステムキッチン１の施工時には、例えば次のような組み立て作業が行われることになる。すなわち、メインキャビネット２、コーナーキャビネット３、及び天板４をキッチンに搬入する。
【００２５】
その場合、図６に示すように、コーナーユニット３を上下のユニット１１，１２で構成するから、持ち運び作業を容易にした上で、搬入口の間口寸法が小さい場合にも、搬入性を確保することができる。
【００２６】
そして、上部ユニット１１の下部の所定箇所にボルト３４ａを介して支柱３４を取り付け、該支柱３４及び下部ユニット１２によって上部ユニット１１を床面に安定して支持可能とする。
【００２７】
次いで、上部ユニット１１の下部に配設された８個のダボ孔２５ａ…２５ａと下部ユニット１２の上部に配設された同数のダボ４１ａ〜４４ａとの嵌合を介して位置決めした上で、上下のユニット１１，１２を重ねる。その場合、上部ユニット１１は、下部ユニット１２の前板４１、背板４２、左右の側板４３，４４、及び支柱３４で支持される。
【００２８】
そして、このコーナーキャビネット３の上部とメインキャビネット２の上部とにわたって天板４を載置し、システムキッチン１の組み立てを終える。
【００２９】
これにより、コーナーキャビネット３を上下のユニット１１，１２に分割し、かつ、これらのユニット１１，１２を立てて搬入することができるから、奥行き寸法を搬入口の寸法に応じて大きく設計することが可能となり、もって広い収納空間Ｓ１〜Ｓ３を有するコーナーキャビネット３が実現されるというメリットも生まれる。
【００３０】
しかも、このコーナーキャビネット３は上下のユニット１１，１２で構成されているから、使用者の好みや使用目的等に合わせて構造を任意に選択したり、あるいは構造を充実させたりすることができ、構造の柔軟性が実現される。
【００３１】
その場合、下部ユニット１２は収納空間Ｓ３にワゴンＷ１〜Ｗ３を収納可能であるから、該ワゴンＷ１〜Ｓ３及び収納空間Ｓ３を活用することにより、周辺が整頓されて快適なキッチンが実現される。
【００３２】
次に、別なるコーナーキャビネットについて説明する。
【００３３】
図７及び図８に示すように、このコーナーキャビネット１０３は、いずれも平面視がＬ型で、上下に重ねられるユニット１１１，１１２で構成されている。なお、この場合にも、以下の説明において、「前後」及び「左右」とあるのは、特に断らない限り、正面視でそれぞれ「手前側、奥方側」及び「左側、右側」を意味する。
【００３４】
コーナーユニット１０３の矢印Ｃ箇所より上方を構成する上部ユニット１１１は、前板１２１と背板１２２と左右の側板１２３，１２４と底板１２５とで上面が開口する有底の概ね箱状とされ、上部に天板１０４が載置されるようになっている。さらに、上部ユニット１１１は、左前方側は右方に、右前方側は前方にそれぞれ開口している。この場合、上部ユニット１１１には、１つの収納空間Ｓ１１が形成されている。
【００３５】
底板１２５のＬ字状の屈曲箇所近傍から上方へ、組み合わされてＬ字状となる支持部材１２６，１２７が立設されており、一方の支持部材１２６の上部と前板１２１との間に梁部材１２８が架け渡され、また、他方の支持部材１２７の上部と右側板１２４との間に別なる梁部材１２９が架け渡されている。これにより、上部ユニット１１２の上部構造が堅固なものとなっている。
【００３６】
そして、上記左側開口に、前方縁部を支点に矢印ｃ及び鎖線で示すように開閉自在な扉１３０が配設されている。一方、上記右側開口に、右側縁部を支点に矢印ｄ及び鎖線で示すように開閉自在な扉１３１が配設されている。また、いずれの扉１３０，１３１も、下縁部を手で操作することによって開閉するようになっている。
【００３７】
図７及び図９に示すように、コーナーユニット１０３の矢印Ｃ箇所より下方を構成し、床面に載置される下部ユニット１１２は、前板１４１と背板１４２と左右の側板１４３，１４４とで上下に開口する概ね枠状とされている。さらに、左前方側は右方に、右前方側は前方にそれぞれ開口し、これらの開口によって符号Ｄで示すワゴン椅子Ｗ１１の出し入れ部が形成されている。なお、このワゴン椅子Ｗ１１はキャスタ付きのものであり、この場合、下部ユニット１１２の収納空間Ｓ１２には、図例の構成の３つのワゴン椅子Ｗ１１…Ｗ１１が収納可能とされている。
【００３８】
下部ユニット１１２の左寄りの上部には、前板１４１と背板１４２との間に梁部材１４５が架け渡され、また、該梁部材１４５と右側板１４４との間に別なる梁部材１４６が架け渡されている。これにより、下部ユニット１１２の上部構造が堅固なものとなっている。
【００３９】
そして、図７〜図９に示すように、上下のユニット１１１，１１２は側面視Ｌ字状の３個の連結金具１４７…１４７によって連結されている。つまり、下部ユニット１１２の左側板１４３の上縁部の前後２箇所及び右側板１４４の上縁部の略中央箇所と、上部ユニット１１１の底板１２５の対応する箇所とにわたって上記連結金具１４７…１４７が配設され、上下のユニット１１１，１１２は該連結金具着１４７…１４７を介して着脱可能にビス止めされている。
【００４０】
以上の構成により、このコーナーキャビネット１０３を備えたシステムキッチンの施工時には、例えば次のような組み立て作業が行われることになる。すなわち、メインキャビネット、コーナーキャビネット１０３、及び天板１０４をキッチンに搬入する。その場合、図１０に示すように、コーナーキャビネット１０３は上下のユニット１１１，１１２として搬入する。
【００４１】
次いで、上部ユニット１１１と下部ユニット１１２とを重ね、３個の連結金具１４７…１４７を介して両ユニット１１１，１１２を連結する。そして、このコーナーキャビネット１０３の上部とメインキャビネットの上部とにわたって天板１０４を載置し、システムキッチンの組み立てを終える。
【００４２】
これにより、説明を省略するが、前述した実施の形態における作用と同様の作用が得られる。
【００４３】
なお、上記実施の形態では、コーナーキャビネット３，１０３をそれぞれ上下２つのユニット１１，１２，１１１，１１２で構成したが、それぞれ３つのユニットで構成してもよい。その場合にも、前述した本発明の作用効果が奏されるのはもちろんである。
【００４４】
また、下部ユニット１２，１１２は上下に開口していたが、天井板を設けた下部ユニットを使用してもよい。その場合には、このような構成の下部ユニットは天井板を介して上部ユニット１１，１１１を堅固に支持することになる。
【００４５】
また、上下のユニット１１，１２を８組のダボ４１ａ〜４４ａとダボ孔２５ａ…２５ａとの嵌合を介して、あるいは上下のユニット１１１，１１２を３個の連結金具１４７…１４７を介して連結したが、これらの配設数を適宜選定することができる。そして、連結方法はこれらに限定されるものではなく、状況に応じて周知の方法を適宜採用することができる。さらに、上記方法とは異なり、下部ユニット１２，１１２の上に上部ユニット１１，１１１を重ねるだけでもよい。
【００４６】
そして、コーナーキャビネット３，１０３と隣接するメインキャビネット２とをビス等を使用して連結してもよい。これにより、コーナーキャビネット３，１０３がシステムキッチン１にさらに堅固に組み込まれるようになる。
【産業上の利用可能性】
【００４７】
以上説明したように、本発明によれば、Ｌ型にレイアウトされたシステムキッチンに備えられて、施工時の搬入性と構造の柔軟性とを両立させることができるコーナーキャビネットが提供される。すなわち、本発明は、Ｌ型システムキッチンのコーナー部に配設されるコーナーキャビネットに関し、システムキッチンの技術分野に広く好適である。
【図面の簡単な説明】
【００４８】
【図１】本発明の実施の形態に係るコーナーキャビネットを備えたシステムキッチンの概略斜視図である。
【図２】コーナーキャビネットの正面図である。
【図３】同じく平面図である。
【図４】同じく下部ユニットの平面図である。
【図５】図４のＩＩ−ＩＩ線による拡大断面図である。
【図６】コーナーキャビネットの組立構造を説明するための図である。
【図７】別なるコーナーキャビネットの正面図である。
【図８】同じく平面図である。
【図９】同じく下部ユニットの平面図である。
【図１０】コーナーキャビネットの組立構造を説明するための図である。
【符号の説明】
【００４９】
１    システムキッチン
３，１０３      コーナーキャビネット
１１，１１１    上部ユニット
１２，１１２    下部ユニット
Ｗ１〜Ｗ３      ワゴン
Ｗ１１    ワゴン椅子（ワゴン）
【図１】
2005176880.tif 000003
【図２】
2005176880.tif 000004
【図３】
2005176880.tif 000005
【図４】
2005176880.tif 000006
【図５】
2005176880.tif 000007
【図６】
2005176880.tif 000008
【図７】
2005176880.tif 000009
【図８】
2005176880.tif 000010
【図９】
2005176880.tif 000011
【図１０】
2005176880.tif 000012